(57)【特許請求の範囲】
【請求項１】
第１レンズを保持し、光軸に直交する方向に移動可能な第１レンズ枠と、
第２レンズを保持し、前記光軸方向に移動可能な第２レンズ枠と、
前記第１レンズ枠と係合する方向に移動することにより、前記第１レンズ枠の前記光軸に直交する方向への移動を規制する第１ロック部材と、
前記第２レンズ枠と係合する方向に移動することにより、前記第２レンズ枠の前記光軸方向への移動を規制する第２ロック部材と、
前記第１ロック部材と第２ロック部材とを連結する連結部と、
前記第１ロック部材と前記第２ロック部材とのいずれか一方を移動させるアクチュエータと、を備え、
前記第１レンズ枠の光軸中心と略同芯に設けられたリング状の前記第１ロック部材は、前記第１レンズ枠から前記光軸方向に突出した突起に係合し、前記第１ロック部材には、この周面と連続する凹状のテーパ部が設けられ、
前記第１ロック部材が回転して、前記突起が前記テーパ部に沿って移動して前記周面と係合することにより、前記第１レンズ枠の前記光軸に直交する方向への移動を規制する、
レンズ鏡筒。
【請求項２】
前記第２ロック部材には、前記第２レンズ枠に形成された引っ掛け部に係合する爪部が設けられ、
前記第２ロック部材が前記第２レンズ枠と係合する方向に移動することにより、前記爪部が前記引っ掛け部に係合して、前記第２レンズ枠の前記光軸方向への移動を規制する、
請求項１に記載のレンズ鏡筒。
【請求項３】
前記連結部は、
前記第１ロック部材に設けられたピンと、
前記第２ロック部材に設けられ、前記第２ロック部材の移動方向に直交して延在し、前記ピンと係合する溝と、を有する、
請求項１又は２に記載のレンズ鏡筒。
【請求項４】
前記第１ロック部材と連動し、前記光軸方向に移動して前記突起に嵌る穴部が設けられた第３ロック部材を更に備え、
前記第１ロック部材の回転に前記第３ロック部材が連動することにより、前記穴部が、前記光軸方向に移動して前記突起に嵌ることで、前記第１レンズ枠の前記光軸に直交する方向への移動を規制する、
請求項１に記載のレンズ鏡筒。
【請求項５】
前記第１ロック部材には周方向に延在するカム溝が設けられ、前記第３ロック部材には前記カム溝に追従するフォロアピンが設けられ、
前記第１ロック部材が回転することにより、前記フォロアピンが前記カム溝に沿って前記光軸方向に移動する、
請求項４に記載のレンズ鏡筒。
【請求項６】
前記第１ロック部材が前記第１レンズ枠の前記光軸に直交する方向への移動を規制した後、前記第２ロック部材が前記第２レンズ枠の前記光軸方向への移動を規制する、
請求項１ないし５のいずれか１項に記載のレンズ鏡筒。
【請求項７】
前記第２ロック部材が前記第２レンズ枠の前記光軸方向への移動を規制した後、前記第１ロック部材が前記第１レンズ枠の前記光軸に直交する方向への移動を規制する、
請求項１ないし５のいずれか１項に記載のレンズ鏡筒。
【請求項８】
第１レンズを保持し、光軸に直交する方向に移動可能な第１レンズ枠と、
第２レンズを保持し、前記光軸方向に移動可能な第２レンズ枠と、
前記第１レンズ枠と係合する方向に移動することにより、前記第１レンズ枠の前記光軸に直交する方向への移動を規制する第１ロック部材と、
前記第２レンズ枠と係合する方向に移動することにより、前記第２レンズ枠の前記光軸方向への移動を規制する第２ロック部材と、
前記第１ロック部材と第２ロック部材とを連結する連結部と、
前記第１ロック部材と前記第２ロック部材とのいずれか一方を移動させるアクチュエータと、を備え、
前記第２ロック部材が前記第２レンズ枠の前記光軸方向への移動を規制した後、前記第１ロック部材が前記第１レンズ枠の前記光軸に直交する方向への移動を規制する、
レンズ鏡筒。
【発明の詳細な説明】
【技術分野】
【０００１】
本発明は、レンズ鏡筒及びカメラに関する。
【背景技術】
【０００２】
カメラにおいて、電源を切ったときにカメラのレンズの移動を規制する技術が開示されている。
【０００３】
例えば、特許文献１には、光軸に直交する方向に移動可能な平凸レンズと平凹レンズとを有するカメラ一体型ＶＴＲが開示されている。平凸レンズを駆動する第１のボイスコイルメータには、平凸レンズをロックするための第１のロック孔が形成されており、平凹レンズを駆動する第２のボイスコイルメータには、平凹レンズをロックするための第２のロック孔が形成されている。モータにより、第１のロックピンが第１のロック孔に挿入されるように移動すると同時に、第２のロックピンが第２のロック孔に挿入されるように移動することで、平凸レンズと平凹レンズとがロックされる。このように、１つのモータによって、平凸レンズと平凹レンズとをロックしている。
【０００４】
これに対し、光軸に直交する方向に移動可能なレンズと光軸方向に移動可能なレンズとをロックする場合、光軸に対するレンズの移動方向が異なるため、光軸に直交する方向の移動をロックするためのモータと、光軸方向の移動をロックするためのモータとをそれぞれ設ける必要がある。
【先行技術文献】
【特許文献】
【０００５】
【特許文献１】特開平１０−２３９７２５号公報
【発明の概要】
【発明が解決しようとする課題】
【０００６】
しかしながら、光軸に直交する方向に移動可能なレンズと、光軸方向に移動可能なレンズとをロックする場合に、ロックのためのモータをそれぞれ設けると、ロックに必要なモータ（アクチュエータ）が２つになってしまうため、レンズの移動をロックするためのモータにかかるコストが高くなってしまうという課題があった。
【０００７】
本発明は、レンズの移動をロックするためのアクチュエータにかかるコストを低くしたレンズ鏡筒及びカメラを提供することを目的とする。
【課題を解決するための手段】
【０００８】
本発明にかかるレンズ鏡筒は、第１レンズを保持し、光軸に直交する方向に移動可能な第１レンズ枠と、第２レンズを保持し、前記光軸方向に移動可能な第２レンズ枠と、前記第１レンズ枠と係合する方向に移動することにより、前記第１レンズ枠の前記光軸に直交する方向への移動を規制する第１ロック部材と、前記第２レンズ枠と係合する方向に移動することにより、前記第２レンズ枠の前記光軸方向への移動を規制する第２ロック部材と、前記第１ロック部材と第２ロック部材とを連結する連結部と、前記第１ロック部材と前記第２ロック部材とのいずれか一方を移動させるアクチュエータと、を備える。
【０００９】
このレンズ鏡筒では、第１ロック部材と第２ロック部材とは連結部で連結されている。そのため、アクチュエータが、例えば第１ロック部材を移動させた場合、第２ロック部材は、連結部を介して第１ロック部材と連動する。従って、アクチュエータが、第１ロック部材を第１レンズ枠と係合する方向に移動させることで、第２ロック部材を第２レンズ枠と係合する方向に移動させることが可能となる。アクチュエータが第２ロック部材を移動させた場合も、同様である。このようにして、１つのアクチュエータで第１レンズと第２レンズとをロックすることができるため、ロックに必要なアクチュエータは１つで良く、ロックのためのアクチュエータにかかるコストを低くできる。
【００１０】
また、前記第１レンズ枠の光軸中心と略同芯に設けられたリング状の前記第１ロック部材は、前記第１レンズ枠から前記光軸方向に突出した突起に係合し、前記第１ロック部材には、この周面と連続する凹状のテーパ部が設けられる。前記第１ロック部材が回転して、前記突起が前記テーパ部に沿って移動して前記周面と係合することにより、前記第１レンズ枠の前記光軸に直交する方向への移動を規制する。
第１ロック部材が回転することで第１レンズ枠の光軸に直交する方向への移動を規制できるため、簡単に、第１ロック部材は第１レンズをロックすることができる。
【００１１】
また、前記第２ロック部材には、前記第２レンズ枠に形成された引っ掛け部に係合する爪部が設けられる。前記第２ロック部材が前記第２レンズ枠と係合する方向に移動することにより、前記爪部が前記引っ掛け部に係合して、前記第２レンズ枠の前記光軸方向への移動を規制する。
第２ロック部材が引っ掛け部に係合するように移動することで第２レンズ枠の光軸方向への移動を規制できるため、簡単に、第２ロック部材は第２レンズをロックすることができる。
【００１２】
また、前記連結部は、前記第１ロック部材に設けられたピンと、前記第２ロック部材に設けられ、前記第２ロック部材の移動方向に直交して延在し、前記ピンと係合する溝と、を有する。
ピンが溝に係合することで第１ロック部材と第２ロック部材を連結することができるため、簡単に、アクチュエータが第１ロック部材と第２ロック部材とのいずれか一方を移動させたとき、第１レンズと第２レンズの両方をロックさせることができる。
【００１３】
また、レンズ鏡筒は、前記第１ロック部材と連動し、前記光軸方向に移動して前記突起に嵌る穴部が設けられた第３ロック部材を更に備える。前記第１ロック部材の回転に前記第３ロック部材が連動することにより、前記穴部が、前記光軸方向に移動して前記突起に嵌ることで、前記第１レンズ枠の前記光軸に直交する方向への移動を規制する。
穴部が光軸方向に移動して突起に嵌ることで、第３ロック部材が第１レンズ枠の光軸に直交する方向への移動を規制するため、第１レンズをさらにロックすることができる。
【００１４】
また、前記第１ロック部材には周方向に延在するカム溝が設けられ、前記第３ロック部材には前記カム溝に追従するフォロアピンが設けられる。前記第１ロック部材が回転することにより、前記フォロアピンが前記カム溝に沿って前記光軸方向に移動する。
カム溝にフォロアピンを追従させることで第１レンズの光軸に直交する方向への移動を規制することができるため、簡単に、第３ロック部材は、前記第１レンズをさらにロックすることができる。
【００１５】
また、前記第１ロック部材が前記第１レンズ枠の前記光軸に直交する方向への移動を規制した後、前記第２ロック部材が前記第２レンズ枠の前記光軸方向への移動を規制する。
第１ロック部材が第１レンズ枠の光軸に直交する方向への移動を規制したまま、第２ロック部材が第２レンズ枠の光軸方向への移動を規制しないようにすることができるので、第１レンズをロックした状態のまま、第２レンズを非ロック状態にすることができる。
【００１６】
また、前記第２ロック部材が前記第２レンズ枠の前記光軸方向への移動を規制した後、前記第１ロック部材が前記第１レンズ枠の前記光軸に直交する方向への移動を規制する。
第２ロック部材が第２レンズ枠の光軸方向への移動を規制したまま、第１ロック部材が第１レンズ枠の光軸に直交する方向への移動を規制しないようにすることができるので、第２レンズをロックした状態のまま、第１レンズを非ロック状態にすることができる。
【００１７】
また、本発明にかかるレンズ鏡筒は、遮光部材と、アクチュエータと、前記遮光部材に前記アクチュエータの駆動力を伝達する駆動力伝達部材と、を有する絞りユニットと、レンズを保持するレンズ枠と、前記レンズ枠と係合する方向に移動することにより、前記レンズ枠の移動を規制するロック部材と、を有するレンズユニットと、を備え、前記駆動力伝達部材と、前記ロック部材とが連結されている。
【００１８】
これにより、絞りユニットの遮光羽根を駆動させるためのモータを１個用いるだけで、フォーカスレンズユニットをロックすることができ、レンズ鏡筒のサイズを大型化することなく、コストアップを抑えることができる。
【００１９】
また、前記駆動力伝達部材の移動は、駆動力伝達状態と、駆動力非伝達状態とを有し、前記駆動力非伝達状態の移動時に、前記ロック部材は、前記レンズ枠の移動を規制する。このような構成とすることにより、絞りユニットのモータの駆動力を、フォーカスレンズユニットに伝達することができる。
【００２０】
また、防振補正レンズを保持する防振補正レンズ枠と、前記防振補正レンズ枠と係合する方向に移動することにより、前記防振補正レンズ枠の移動を規制するロックリングと、を有する防振補正レンズユニットをさらに備え、前記レンズユニットは、フォーカスレンズユニットであり、前記レンズ枠は、フォーカスレンズ枠であり、前記ロック部材は、ロックレバーであり、前記ロックレバーと、前記ロックリングとが連結されている。
【００２１】
このような構成とすることにより、絞りユニットの遮光羽根を駆動させるためのモータを１個用いるだけで、フォーカスレンズユニットに加えて、防振補正レンズユニットをロックすることができる。
【００２２】
前記防振補正レンズユニットは、前記防振補正レンズユニット枠を駆動させるボイスコイルモータをさらに有する。これにより、防振補正レンズユニットの駆動時の応答性を向上させることができる。
【００２３】
前記フォーカスレンズユニットは、前記フォーカスレンズ枠を駆動させるボイスコイルモータをさらに有する。これにより、フォーカスレンズユニット３の駆動時の清音化と高速化の両立を図ることができる。
【００２４】
以上に記載したレンズ鏡筒は、カメラに備えることができる。
【発明の効果】
【００２５】
本発明により、レンズの移動をロックするためのアクチュエータにかかるコストを低くしたレンズ鏡筒及びカメラを提供することができる。
【図面の簡単な説明】
【００２６】
【図１】実施の形態１に係るレンズ鏡筒の断面図である。
【図２】防振補正レンズユニットとフォーカスレンズユニットとの断面図である。
【図３】防振補正レンズユニットの斜視図である。
【図４】防振補正レンズユニットの正面図である。
【図５】フォーカスレンズユニットの斜視図である。
【図６】フォーカスレンズユニットの斜視図である。
【図７】フォーカスレンズユニットの断面図である。
【図８】非ロック時の防振補正レンズユニットの要部拡大図である。
【図９】非ロック時のフォーカスレンズユニットの斜視図である。
【図１０】非ロック時のフォーカスレンズユニットの斜視図である。
【図１１】非ロック時のロックピンと長溝との上面図である。
【図１２】ロック時のロックピンと長溝との上面図である。
【図１３】ロック時の防振補正レンズユニットの要部拡大図である。
【図１４】実施の形態２に係る防振補正レンズユニットの斜視図である。
【図１５】ストッパーの斜視図である。
【図１６】ストッパーを外した状態の防振補正レンズユニットの正面図である。
【図１７】嵌合穴と突起と可動領域との上面図である。
【図１８】ガイド部の斜視図である。
【図１９】非ロック時の防振補正レンズユニットの要部拡大図である。
【図２０】非ロック時の防振補正レンズユニットの要部側面図である。
【図２１】ロック途中の防振補正レンズユニットの斜視図である。
【図２２】ロック時の防振補正レンズユニットの斜視図である。
【図２３】ロック時の防振補正レンズユニットの要部拡大図である。
【図２４】ロック時の防振補正レンズユニットの要部側面図である。
【図２５】実施の形態３に係るレンズ鏡筒を例示する断面図である。
【図２６】実施の形態３に係る防振補正レンズユニットを例示する斜視図である。
【図２７】実施の形態３に係るフォーカスレンズユニット３を例示する斜視図である。
【図２８】実施の形態３に係るフォーカスレンズユニット３を例示する斜視図である。
【図２９】実施の形態４に係るレンズ鏡筒を例示する断面図である。
【図３０】実施の形態４に係る絞りユニットを例示する斜視図である。
【図３１】実施の形態４に係る絞りユニットを例示する斜視図である。
【図３２】実施の形態４に係る絞りユニットの差込穴を例示する図である。
【図３３】図３２が示す内部を例示した透視図である。
【図３４】実施の形態４に係る絞りユニットの差込穴を例示する図である。
【図３５】図３４が示す内部を例示した透視図である。
【図３６】実施の形態４に係るフォーカスレンズユニットを例示する斜視図である。
【図３７】実施の形態４に係るフォーカスレンズユニットを例示する斜視図である。
【図３８】実施の形態４に係るフォーカスレンズユニットを例示する斜視図である。
【図３９】実施の形態４に係るフォーカスレンズユニットを例示する断面図である。
【図４０】実施の形態４に係る絞りユニット及びフォーカスレンズユニットの動作を例示する図である。
【図４１】実施の形態５に係るレンズ鏡筒を例示する断面図である。
【図４２】実施の形態５に係るフォーカスレンズユニットを例示する斜視図である。
【図４３】実施の形態５に係る絞りユニット、フォーカスレンズユニット及び防振補正レンズユニットの動作を例示する図である。
【発明を実施するための形態】
【００２７】
［実施の形態１］
以下、図面を参照して本発明の実施の形態１について説明する。図１及び図２に示すように、レンズ鏡筒１は、防振補正レンズＬ１、Ｌ２、Ｌ３からなる防振補正レンズ群Ｌ１０を有する防振補正レンズユニット２と、フォーカスレンズＬ４、Ｌ５からなるフォーカスレンズ群Ｌ２０を有するフォーカスレンズユニット３と、を備える。レンズ鏡筒１は、カメラに備えられる鏡筒であり、防振補正レンズユニット２、フォーカスレンズユニット３以外の部品を適宜備える。また、図１及び図２には、防振補正レンズユニット２、フォーカスレンズユニット３の構成の一部のみが開示されている。
【００２８】
防振補正レンズユニット２とフォーカスレンズユニット３とは、Ｚ軸方向に隣接するユニットである。なお、図１及び図２のＸ軸方向及びＹ軸方向は、防振補正レンズ群Ｌ１０、フォーカスレンズ群Ｌ２０の光軸と直交する方向であり、Ｚ軸方向は、防振補正レンズ群Ｌ１０、フォーカスレンズ群Ｌ２０の光軸方向である。また、Ｚ軸方向のうち、フォーカスレンズユニット３から防振補正レンズユニット２に向かう方向を＋Ｚ軸方向と特に定義し、Ｚ軸方向のうち、防振補正レンズユニット２からフォーカスレンズユニット３に向かう方向を−Ｚ軸方向と特に定義する。
【００２９】
防振補正レンズ群Ｌ１０は、防振補正レンズユニット２の防振補正レンズ枠１１（第１レンズ枠）により保持されており、フォーカスレンズ群Ｌ２０は、フォーカスレンズユニット３のフォーカスレンズ枠１２（第２レンズ枠）により保持されている。防振補正レンズ枠１１は、ＶＣＭ（Voice Coil Motor）２１Ａ、２１Ｂが駆動することにより、Ｘ軸方向又はＹ軸方向に移動する。
【００３０】
以下、防振補正レンズユニット２の構成について更に説明する。図３及び図４に示すように、−Ｚ軸方向に突出した円柱状の突起２２が、防振補正レンズ枠１１の外方に接続されている。突起２２は、防振補正レンズユニット２におけるフォーカスレンズユニット３に対向した面２３に３つ設けられ、各突起２２の周辺には可動領域２４が形成されている。３つの突起２２は、それぞれ正三角形の３点をなし、防振補正レンズ枠１１の中心軸、即ち防振補正レンズ群Ｌ１０の光軸は、その正三角形の中心を通る。また、面２３は、Ｚ軸に垂直な平面をなす。
【００３１】
また、面２３には、ロックリング２５（第１ロック部材）が設けられている。ロックリング２５は、防振補正レンズ枠１１の光軸中心と略同芯（略同心）に設けられており、突起２２がロックリング２５の周面Ｃと係合するとき、突起２２の移動が規制されるため、防振補正レンズ枠１１のＸ軸方向及びＹ軸方向への移動が規制される。また、ロックリング２５には、周面Ｃと連続するテーパ部２６が、突起２２に対応した位置に３つ設けられている。
【００３２】
なお、図３、図４に示すように、突起２２がロックリング２５の周面Ｃと係合しない状態では、突起２２は、その周辺に形成された可動領域２４内を動くことができる。この場合、防振補正レンズ枠１１は、Ｘ軸方向及びＹ軸方向に移動することができる。なお、防振補正レンズ枠１１がＸ軸方向及びＹ軸方向の移動可能領域の中心にあるときは、各突起２２は、各可動領域２４の中央部に位置する。
【００３３】
また、ロックリング２５には、−Ｚ軸方向に突出した円柱状のロックピン２７が形成されている。
【００３４】
次に、フォーカスレンズユニット３の構成について更に説明する。図５〜図７に示すように、フォーカスレンズ枠１２は、ＶＣＭ３１Ａ、３１Ｂが駆動することにより、ガイド軸３２を介して、Ｚ軸方向に移動する。また、フォーカスレンズ枠１２には、引っ掛け部３３が設けられている。
【００３５】
また、フォーカスレンズユニット３における防振補正レンズユニット２に対向した面３４には、ロックレバー３５（第２ロック部材）が設けられている。ロックレバー３５の爪部３６が引っ掛け部３３と係合することにより、フォーカスレンズ枠１２のＺ軸方向への移動が規制される。なお、図５〜図７において、引っ掛け部３３と爪部３６とは係合している。
【００３６】
また、ロックレバー３５には、Ｘ軸方向に延在し、ロックピン２７と係合する長溝３７が形成されている。ロックピン２７は、面３４に設けられ、Ｙ軸方向に延在した長穴３８を介して、長溝３７に挿入される。ロックピン２７と長溝３７とは、ロックリング２５とロックレバー３５とを連結する連結部として機能する。また、面３４は、Ｚ軸に垂直な平面をなす。
【００３７】
また、ロックレバー３５は、モータ（アクチュエータ）３９により、ガイド軸４０を介してＹ軸方向に動く。モータ３９は、例えばステッピングモータである。
【００３８】
以上に示したＶＣＭ２１Ａ、２１ＢとＶＣＭ３１Ａ、３１Ｂとモータ３９とは、図示しない制御部により、駆動が制御される。この制御部は、例えば、レンズ鏡筒１が備えられるカメラの制御部である。
【００３９】
次に、ロックリング２５が防振補正レンズ枠１１をロックし、ロックレバー３５がフォーカスレンズ枠１２をロックするプロセスについて説明する。
【００４０】
初期状態では、ロックリング２５は防振補正レンズ枠１１をロックせず、ロックレバー３５はフォーカスレンズ枠１２をロックしない。このとき、図８に示すように、防振補正レンズユニット２において、突起２２はロックリング２５の周面Ｃと係合せず、テーパ部２６の近傍に位置している。従って、突起２２は、可動領域２４内を動くことができる。
【００４１】
また、このとき、図９に示すように、引っ掛け部３３と爪部３６とは係合しない。ロックピン２７と長溝３７とは、図１０及び図１１に示すように係合されている。図１１において、ロックピン２７は、長溝３７の位置Ｉ１（長溝３７の一端）に位置する。
【００４２】
この初期状態から、制御部がロック制御を行うことにより、モータ３９が駆動し、ロックレバー３５を、Ｙ軸に平行な方向Ｅに沿って動かす。つまり、ロックレバー３５の爪部３６は、引っ掛け部３３と係合する方向に動く。なお、ロック制御において、爪部３６が引っ掛け部３３と係合する位置に固定されるように、制御部はＶＣＭ３１Ａ、３１Ｂを駆動させて、フォーカスレンズ枠１２のＺ軸方向の位置を固定する。さらに、制御部は、ロック制御において、各突起２２を各可動領域２４の中央部に配置させるように、防振補正レンズ枠１１のＸ軸方向及びＹ軸方向の位置の制御を行ってもよい。
【００４３】
ロックレバー３５が方向Ｅに沿って動くことにより、長溝３７に係合したロックピン２７も、ロックレバー３５に連動して移動する。さらに言えば、ロックピン２７は、方向Ｆに沿って円弧を描くように、長溝３７の位置Ｉ１から位置Ｉ２（長溝３７の他端）に向かって移動する。そのため、ロックリング２５は、ロックレバー３５に連動して、方向Ｄ（図８参照）に沿って回転する。ロックリング２５が方向Ｄに沿って回転することで、突起２２はテーパ部２６に沿って周面Ｃ側に移動する。
【００４４】
なお、防振補正レンズユニット２及びフォーカスレンズユニット３は、Ｘ軸方向又はＹ軸方向に多少動くことがある。防振補正レンズユニット２及びフォーカスレンズユニット３がＸ軸方向又はＹ軸方向に動いても、即ち、長溝３７に挿入されるロックピン２７の挿入角度が変化しても、ロックピン２７と長溝３７とが常に係合されるように、ロックピン２７と長溝３７とは、例えばユニバーサルジョイントの構造により係合される。
【００４５】
以上の制御により、ロックリング２５は防振補正レンズ枠１１をロックし、ロックレバー３５はフォーカスレンズ枠１２をロックする。ここで、図１２に示すように、ロックピン２７は、長溝３７の位置Ｉ２に位置する。また、引っ掛け部３３と爪部３６とは係合している（図６参照）。
【００４６】
さらに、図１３に示すように、突起２２はロックリング２５の周面Ｃと係合している。ここで、３つの突起２２全てがロックリング２５の周面Ｃと係合しており、３つの突起２２は、それぞれ係合する周面ＣからＺ軸に垂直な方向に抗力を受ける。ここで、３つの突起２２が抗力を受ける方向は、それぞれ１２０度ずつ異なる方向である。３つの突起２２は防振補正レンズ枠１１により接続されているため、１つの突起２２がＸ軸方向又はＹ軸方向に動こうとしても、他の２つの突起２２が受ける抗力により、その突起２２は動くことができない。従って、防振補正レンズ枠１１は、Ｘ軸方向及びＹ軸方向に自由に移動することができなくなる。
【００４７】
以上に示した通り、レンズ鏡筒１では、ロックリング２５とロックレバー３５とは、ロックピン２７と長溝３７（連結部）で連結されている。そのため、モータ３９が、ロックレバー３５を移動させた場合、ロックリング２５は、ロックピン２７と長溝３７とを介してロックレバー３５と連動する。従って、モータ３９が、ロックレバー３５をフォーカスレンズ枠１２と係合する方向に移動させることで、ロックリング２５を防振補正レンズ枠１１と係合する方向に移動させることが可能となる。このようにして、１つのモータ３９で防振補正レンズ群Ｌ１０とフォーカスレンズ群Ｌ２０（図１及び図２参照）とをロックすることができるため、ロックに必要なアクチュエータは１つで良く、アクチュエータにかかるコストを低くすることができる。従って、レンズ鏡筒やカメラの製造コストを低くすることができる。また、ロック制御に必要なアクチュエータは１つで良いため、ロックのためのアクチュエータの制御も容易となる。
【００４８】
また、防振補正レンズ枠１１の光軸中心と略同芯に設けられたロックリング２５は、防振補正レンズ枠１１からＺ軸（光軸）方向に突出した突起２２に係合し、ロックリング２５には、この周面Ｃと連続する凹状のテーパ部２６が設けられる。ロックリング２５が回転して、突起２２がテーパ部２６に沿って移動して周面Ｃと係合することにより、防振補正レンズ枠１１のＸ軸方向及びＹ軸方向（光軸方向に垂直な方向）への移動を規制する。このようにして、ロックリング２５が回転することで防振補正レンズ枠１１の光軸に直交する方向への移動を規制できるため、簡単に、ロックリング２５は防振補正レンズ群Ｌ１０をロックすることができる。
【００４９】
また、ロックレバー３５には、フォーカスレンズ枠１２に形成された引っ掛け部３３に係合する爪部３６が設けられる。ロックレバー３５がフォーカスレンズ枠１２と係合する方向に移動することにより、爪部３６が引っ掛け部３３に係合して、フォーカスレンズ枠１２のＺ軸方向への移動を規制する。ロックレバー３５が引っ掛け部３３に係合するように移動することでフォーカスレンズ枠１２の光軸方向への移動を規制できるため、簡単に、ロックレバー３５はフォーカスレンズ群Ｌ２０をロックすることができる。
【００５０】
また、ロックリング２５とロックレバー３５とを連結する連結部は、ロックリング２５に設けられたロックピン２７と、ロックレバー３５に設けられ、ロックレバー３５の移動方向に直交して延在し、ロックピン２７と係合する長溝３７と、を有する。ロックピン２７が長溝３７に係合することでロックリング２５とロックレバー３５とを連結することができるため、簡単に、アクチュエータはロックリング２５とロックレバー３５とのいずれか一方を移動させたとき、防振補正レンズ群Ｌ１０とフォーカスレンズ群Ｌ２０の両方をロックさせることができる。また、長溝３７はロックレバー３５の移動方向に直交して延在しているため、ロックレバー３５が移動する際に、ロックピン２７がロックレバー３５の移動方向に直交する方向にも移動できる。これにより、ロックレバー３５に連動してロックリング２５が回転できるようにしている。
【００５１】
防振補正レンズ群Ｌ１０をロックするロック部材、フォーカスレンズ群Ｌ２０をロックするロック部材及びロックリング２５とロックレバー３５とを連結する連結部の少なくともいずれかを以上のような構成にすることで、ロックのための機構を簡易な構成にすることができる。そのため、レンズ鏡筒１を小型化することができる。
【００５２】
なお、上述の初期状態から、引っ掛け部３３と爪部３６とが係合するまでに爪部３６が動く距離Ａ１と、初期状態から外周Ｐと突起２２とが係合するまでにロックリング２５が動く距離Ａ２と、は適宜変更することができる。これにより、防振補正レンズ枠１１がロックされるタイミングと、フォーカスレンズ枠１２がロックされるタイミングとを調整することができる。
【００５３】
例えば、距離Ａ１を長くして距離Ａ２を短くすることにより、ロックリング２５が防振補正レンズ枠１１のＸ軸方向及びＹ軸方向への移動を規制した後に、ロックレバー３５がフォーカスレンズ枠１２のＺ軸方向への移動を規制するようにすることができる。このようにすると、ロックリング２５が防振補正レンズ枠１１のＸ軸方向及びＹ軸方向への移動を規制したまま、ロックレバー３５がフォーカスレンズ枠１２のＺ軸方向への移動を規制しないようにすることができる。そのため、防振補正レンズ群Ｌ１０をロックした状態のまま、フォーカスレンズ群Ｌ２０を非ロック状態にすることができる。なお、制御部は、この状態において、ＶＣＭ２１Ａ、２１Ｂを駆動させてフォーカスレンズ群Ｌ２０を移動させ、モータ３９を、ロックレバー３５を移動させないように制御する。
【００５４】
また、距離Ａ１を短くして距離Ａ２を長くすることにより、ロックレバー３５がフォーカスレンズ枠１２のＺ軸方向への移動を規制した後に、ロックリング２５が防振補正レンズ枠１１のＸ軸方向及びＹ軸方向への移動を規制するようにすることができる。このようにすると、このようにすると、ロックレバー３５がフォーカスレンズ枠１２のＺ軸方向への移動を規制したまま、ロックリング２５が防振補正レンズ枠１１のＸ軸方向及びＹ軸方向への移動を規制しないようにすることができる。そのため、フォーカスレンズ群Ｌ２０をロックした状態のまま、防振補正レンズ群Ｌ１０を非ロック状態にすることができる。なお、制御部は、この状態において、ＶＣＭ３１Ａ、３１Ｂを駆動させて防振補正レンズ群Ｌ１０を移動させ、モータ３９を、ロックレバー３５を移動させないように制御する。
【００５５】
［実施の形態２］
以下、図面を参照して本発明の実施の形態２について説明する。図１４に示すように、防振補正レンズユニット５０は、防振補正レンズユニット２に比較して、ストッパー５１を更に備える。
【００５６】
以下、ストッパー５１について詳述する。図１４〜図１６に示すように、ストッパー５１には、−Ｚ軸方向に突出したガイド軸５２に嵌るガイド穴５３が設けられている。ガイド軸５２は防振補正レンズユニット５０の面２３に設けられており、ストッパー５１は、ガイド軸５２を介して、Ｚ軸方向に移動することができる。なお、ガイド軸５２及びガイド穴５３は２つずつ設けられている。
【００５７】
また、ストッパー５１には、ストッパー５１が−Ｚ軸方向に移動したときに、突起２２Ａに嵌る嵌合穴５４Ａ、突起２２Ｂに嵌る嵌合穴５４Ｂが設けられる。なお、ストッパー５１には、突起２２Ａ、２２Ｂに対応した位置に、それぞれ嵌合穴５４Ａ、５４Ｂが設けられる。また、面２３には、実施の形態１と同様に、正三角形の頂点の位置に３つの突起２２Ａ、２２Ｂ、２２Ｃが設けられる。図１７に示すように、嵌合穴５４Ａの大きさは、突起２２Ａの大きさよりも大きく、可動領域２４の大きさよりも小さい。また、図示は省略するが、嵌合穴５４Ｂの大きさは、突起２２Ｂの大きさよりも大きく、可動領域２４の大きさよりも小さい。
【００５８】
さらに、ストッパー５１には、Ｚ軸方向に移動するためのフォロアピン５５Ａ、５５Ｂが設けられている。
【００５９】
また、図１４及び図１６に示すように、ロックリング２５には、ストッパー５１をＺ軸方向に移動させるためのガイド部５６Ａ、５６Ｂが設けられる。このガイド部５６Ａ、５６Ｂは、突起２２Ａ、２２Ｂに対応した位置にそれぞれ設けられている。
【００６０】
図１８に示すように、ガイド部５６Ａには、ロックリング２５の周方向に延在するカム溝５７が設けられ、フォロアピン５５Ａがカム溝５７に追従することで、ストッパー５１は、Ｚ軸方向に移動する。カム溝５７は、Ｚ軸方向において突起２２Ａと離れている位置Ｉ３から、Ｚ軸方向において突起２２Ａに近い位置Ｉ４を介して、位置Ｉ４とＺ軸方向の位置が同じである位置Ｉ５を結んでいる。なお、ガイド部５６Ａの近傍には、ロックピン２７が設けられている。
【００６１】
また、図示は省略するが、ガイド部５６Ｂにも、同様にフォロアピン５５Ｂが追従するためのカム溝５７Ｂが設けられている。このカム溝５７Ｂは、Ｚ軸方向において突起２２Ｂと離れている位置Ｉ６から、Ｚ軸方向において突起２２Ｂに近い位置Ｉ７を介して、位置Ｉ７とＺ軸方向の位置が同じである位置Ｉ８を結んでいる。
【００６２】
次に、ロックリング２５が回転して防振補正レンズ枠１１をロックする際に、ストッパー５１が連動することにより、嵌合穴５４Ａが、−Ｚ軸方向に移動して突起２２Ａに嵌るプロセスについて説明する。なお、ロックレバー３５がフォーカスレンズ枠１２をロックするプロセスについては、実施の形態１と同様であるため、説明を省略する。
【００６３】
初期状態では、ロックリング２５は防振補正レンズ枠１１をロックしない。このとき、図１９及び図２０に示すように、ストッパー５１はＺ軸方向において突起２２Ａと離れた状態にあるため、嵌合穴５４Ａは、突起２２Ａと嵌合していない。なお、フォロアピン５５Ａは位置Ｉ３（図１８参照）にある。
【００６４】
この初期状態から、制御部がロック制御を行うことにより、モータ３９が駆動し、ロックレバー３５を動かす。そのため、ロックリング２５もロックレバー３５に連動して、方向Ｇに沿って回転する。この詳細については、実施の形態１で述べた通りである。
【００６５】
ロックリング２５が方向Ｇに沿って回転することで、ガイド部５６Ａも方向Ｇに沿って動くため、フォロアピン５５Ａはカム溝５７Ａに追従し、位置Ｉ３から位置Ｉ４（図１８参照）に向かって移動する。これにより、ストッパー５１が＋Ｚ軸方向に移動する、即ちＺ軸方向において突起２２Ａ側に移動することで、嵌合穴５４Ａが突起２２Ａと嵌合する。
【００６６】
また、同様に、ガイド部５６Ｂも方向Ｇに沿って動くため、フォロアピン５５Ｂはカム溝５７Ｂに追従し、位置Ｉ６から位置Ｉ７に向かって移動する。これにより、ストッパー５１が＋Ｚ軸方向に移動する、即ちＺ軸方向において突起２２Ｂ側に移動することで、嵌合穴５４Ｂが突起２２Ｂと嵌合する。
【００６７】
このようにして、図２１に示すように、フォロアピン５５Ａが位置Ｉ４に達する。このとき、フォロアピン５５Ｂは、位置Ｉ７に達している。そして、ロックピン２７はロックレバー３５に連動して、なおも方向Ｇ（図１９参照）に沿って回転する。また、ロックリング２５が移動することにより、３つの突起２２Ａ〜２２Ｃは、ロックリング２５のテーパ部２６に当接した後、外縁Ｒに係合する。
【００６８】
このようにして、図２２〜図２４に示すように、フォロアピン５５Ａが位置Ｉ５に達する。このとき、ストッパー５１はＺ軸方向において突起２２に近づいた状態にあり、嵌合穴５４Ａは、突起２２Ａと嵌合している。また、同様に、フォロアピン５５Ｂは位置Ｉ８に達しており、嵌合穴５４Ｂは、突起２２Ｂと嵌合している。
【００６９】
以上に示した通り、ロックリング２５の回転にストッパー５１が連動することにより、嵌合穴５４Ａが、＋Ｚ軸方向に移動して突起２２Ａに嵌ることで、防振補正レンズ枠１１のＸ軸方向及びＹ軸方向（即ち、光軸に直交する方向）への移動を規制する。このようにして、ストッパー５１は、防振補正レンズ群Ｌ１０（図１及び図２参照）をさらにロックすることができる。
【００７０】
なお、カム溝５７Ａにおける位置Ｉ３から位置Ｉ４（図１８参照）までの距離を調整することにより、嵌合穴５４Ａが突起２２Ａと嵌合した後に、突起２２Ａが、ロックリング２５のテーパ部２６に当接するようにしてもよい。このようにすることで、突起２２Ａがロックリング２５によりロックされる前に、嵌合穴５４Ａが、突起２２ＡのＸ軸方向及びＹ軸方向の位置決めを行うことができる。従って、ロックの際の防振補正レンズ群Ｌ１０の位置を精度良く決定できる。カム溝５７Ｂについても、同様の調整が可能である。
【００７１】
また、ロックリング２５には周方向に延在するカム溝５７Ａが設けられ、ストッパー５１にはカム溝５７Ａに追従するフォロアピン５５Ａが設けられている。ロックリング２５が回転することにより、フォロアピン５５Ａがカム溝５７Ａに沿ってＺ軸方向（光軸方向）に移動する。カム溝５７Ａにフォロアピン５５Ａを追従させることで防振補正レンズ群Ｌ１０の光軸に直交する方向への移動を規制することができるため、ストッパー５１は、簡単に、防振補正レンズ群Ｌ１０をさらにロックすることができる。
【００７２】
以上に記載した実施の形態１、２は、適宜組み合わせることができる。また、本発明は上記実施の形態に限られたものではなく、趣旨を逸脱しない範囲で適宜変更することが可能である。例えば、モータ３９は、ロックレバー３５を移動させるのではなく、ロックリング２５を回転させてもよい。また、モータ３９ではなく、他のアクチュエータを、ロックリング２５又はロックレバー３５の駆動源として用いてもよい。ロックピン２７は、ロックリング２５ではなくロックレバー３５に設けられ、長溝３７は、ロックレバー３５ではなくロックリング２５に設けられてもよい。また、防振補正レンズ枠１１に設けられる突起２２の数は、３つに限られない。同様に、ストッパー５１の嵌合穴５４に嵌合される突起２２の数は、２つに限られない。
【００７３】
防振補正レンズ枠１１を移動させるモータには、ＶＣＭ２１Ａ、２１Ｂではなく、超音波モータが用いられてもよい。この超音波モータは、制御により電源がオフとなったときの自己保持力が、防振補正レンズ枠１１をＸ軸方向及びＹ軸方向に固定することができない程度の自己保持力を有するモータである。例えば、電源がオフとなったときの自己保持力が、防振補正レンズ枠１１の重量の３倍未満であってもよい。フォーカスレンズ枠１２を移動させるモータにも、ＶＣＭ３１Ａ、３１Ｂではなく、同様の超音波モータが用いられてもよい。
【００７４】
［実施形態３］
以下、図面を参照して本発明の実施の形態３について説明する。実施形態１及び実施形態２は、フォーカスレンズユニット３のロックレバー３５を駆動するための１個のモータ（アクチュエータ）３９を動力原として、フォーカスレンズユニット３、及び、防振補正レンズユニット２をロックできる構造を示した。本実施形態は、防振補正レンズユニット２のロックリング２５を駆動するための１個のモータ（アクチュエータ）２９を動力源として、これらをロックできる構造を示す。
【００７５】
図２５は、実施の形態３に係るレンズ鏡筒１３を例示する断面図である。図２５に示すように、レンズ鏡筒１３は、例えば、円筒の形状をしている。円筒の中心軸は光軸と一致している。実施形態１及び実施形態２と同様に、光軸の方向をＺ軸方向とし、光の入射する方向と同じ方向を＋Ｚ軸方向とする。＋Ｚ軸方向の逆方向は−Ｚ軸方向である。Ｚ軸方向に直交する面内における一方向をＸ軸方向とし、Ｘ軸方向及びＺ軸方向に直交する方向をＹ軸方向とする。
【００７６】
本実施形態においても、レンズ鏡筒１３は防振補正レンズユニット２及びフォーカスレンズユニット３を有している。防振補正レンズユニット２は、フォーカスレンズユニット３よりも＋Ｚ軸側に位置し、フォーカスレンズユニット３と隣接している。図には、防振補正レンズユニット２及びフォーカスレンズユニット３の構成の一部のみが開示され、その他の部品は適宜省略している。
【００７７】
図２６は、実施の形態３に係る防振補正レンズユニット２を例示する斜視図である。図２５及び図２６に示すように、防振補正レンズユニット２は、本体２ａ、防振補正レンズ群Ｌ１０、防振補正レンズ枠１１、ボイスコイルモータ（Voice Coil Motor）２１Ａ、２１Ｂ及びロックリング２５を有する。ここまでは、実施の形態１及び実施の形態２と同様である。本実施形態では、それらに加えて、モータ（アクチュエータ）２９を有している。
【００７８】
防振補正レンズユニット２の本体２ａは、円環の形状をしており、中心に光軸を中心とした開口２ｂが形成されている。本体２ａは、円環状の上蓋２ｃ及び下蓋２ｄが外周で結合された構造をしている。したがって、上蓋２ｃ及び下蓋２ｄの間には隙間が形成されている。上蓋２ｃにおけるフォーカスレンズユニット３に対向する面２３には、可動領域２４となる孔が形成されている。可動領域２４は、面２３に３か所形成されている。３か所の可動領域２４は、光軸を中心とした正三角形の頂点となるように配置されている。
【００７９】
本体２ａの面２３上には、開口２ｂを囲むように円環状のロックリング２５が設けられている。ロックリング２５は、３つの可動領域２４よりも内側に設けられている。ロックリング２５の外周の周面Ｃには、テーパ部２６が３か所形成されている。防振補正レンズ枠１１が可動状態のときには、テーパ部２６は、可動領域２４に位置している。ロックリング２５には、−Ｚ軸方向に突出したロックピン２７が形成されている。
【００８０】
本実施形態では、本体２ａの面２３上に、モータ（アクチュエータ）２９が設けられている。モータ２９は、例えば、ステッピングモータである。モータ２９は、ロックリング２５を駆動させるアクチュエータとして機能する。モータ２９は、ロックリング２５を、光軸を中心として回転させる。
【００８１】
防振補正レンズ枠１１は、円筒の形状をした円筒部分１１ａと、円筒部分１１ａの側面を取り囲むツバ状のツバ部１１ｂから構成されている。防振補正レンズ枠１１は、円筒部分１１ａの内部に防振補正レンズ群Ｌ１０を保持している。防振補正レンズ群Ｌ１０の光軸は、レンズ鏡筒１３の光軸と一致している。ツバ部１１ｂの−Ｚ軸側の面上には、突起２２が設けられている。突起２２は光軸を中心とした正三角形の頂点となる位置に３か所設けられている。防振補正レンズ枠１１におけるツバ部１１ｂは、本体２ａの上蓋２ｃ及び下蓋２ｄの間にはめ込まれている。防振補正レンズ枠１１における円筒部分１１ａは、本体２ａの開口２ｂ内に配置されている。３つの突起２２は、本体２ａの上蓋２ｃの面２３に設けられた可動領域２４から突出している。これにより、防振補正レンズ枠１１は、突起２２が可動領域２４で制限される範囲内で駆動することができる。
【００８２】
ボイスコイルモータ（Voice Coil Motor）２１Ａ、２１Ｂは、例えば、本体２ａの下蓋２ｄに固定されている。ボイスコイルモータ２１Ａ、２１Ｂは、防振補正レンズ枠１１を駆動させるアクチュエータである。例えば、ボイスコイルモータ２１Ａ、２１Ｂは、レンズ鏡筒１３に加えられた振動を打ち消すように防振補正レンズ枠１１を駆動させる。ボイスコイルモータ２１Ａ、２１Ｂは応答性に優れている。ただし、ボイスコイルモータ２１Ａ、２１Ｂの欠点は、非通電時に防振補正レンズ枠１１の保持ができないことである。高性能大口径レンズを使用する際は、非通電時に防振補正レンズ枠１１の衝突破壊や衝突異音を防止する必要がある。このため、ロックリング２５をモータ２９により回転駆動させて、防振補正レンズ枠１１における突起２２を、ロックリング２５の周面Ｃに係合させる。これにより、ボイスコイルモータ２１Ａ、２１Ｂの非通電時に、防振補正レンズ枠１１をロックする。なお、ボイスコイルモータ２１Ａ、２１Ｂに代えて、他の駆動手段、例えば、超音波モータを用いてもよい。また、防振補正レンズユニット２は、実施の形態２のように、ストッパー５１を有していてもよい。ストッパー５１の構成及び動作は、実施の形態２と同様であるので説明を省略する。
【００８３】
図２７及び図２８は、実施の形態３に係るフォーカスレンズユニット３を例示する斜視図である。図２７及び図２８に示すように、フォーカスレンズユニット３は、本体３ａ、フォーカスレンズ枠１２、フォーカスレンズ群Ｌ２０（図示せず）、ロックレバー３５、ボイスコイルモータ３１Ａ、３１Ｂを有する。本実施形態では、前述の実施形態１及び実施形態２と異なり、フォーカスレンズユニット３に、モータ３９が設けられていない。
【００８４】
フォーカスレンズユニット３の本体３ａは、円筒の形状をしている。本体３ａの内部にはＺ軸方向に連通する円筒状の空洞が形成されている。空洞の内周面には、Ｚ軸方向に延びたガイド軸３２が設けられている。本体３ａにおける＋Ｚ軸方向の周縁の一部に切欠きが形成されている。切欠きをまたぐようにブリッジ３４ａが設けられている。そして、ブリッジ３４ａには、長穴３８が形成されている。長穴３８は例えばＹ軸方向に延びている。
【００８５】
フォーカスレンズ枠１２は円環状である。フォーカスレンズ枠１２は、円環状の内部に、フォーカスレンズ群Ｌ２０（図示せず）を保持している。フォーカスレンズ群Ｌ２０の光軸は、レンズ鏡筒１３の光軸と一致している。フォーカスレンズ枠１２は、本体３ａの空洞内にはめ込まれている。フォーカスレンズ枠１２はガイド軸３２によってＺ軸方向に駆動する。フォーカスレンズ枠１２には、引っ掛け部３３が設けられている。引っ掛け部３３は、長穴３８の近傍に位置している。引っ掛け部３３はＵの字を横にした形状をしている。
【００８６】
ロックレバー３５は、Ｕの字を横にした形状をしている。ロックレバー３５の上部は、長穴３８にはめ込まれている。これにより、ロックレバー３５は、長穴３８に沿ってＹ軸方向に移動することができる。ロックレバー３５の下部は、爪部３６である。爪部３６は、引っ掛け部３３と対向している。ロックレバー３５がＹ軸方向に移動することにより、ロックレバー３５の爪部３６が、引っ掛け部３３に係合する。これにより、フォーカスレンズ枠１２のＺ軸方向の移動をロックすることができる。このように、ロックレバー３５は、フォーカスレンズ枠１２と係合する方向に移動することにより、フォーカスレンズ枠１２の移動を規制する。係合した状態から反対方向にロックレバー３５が移動することにより、ロックレバー３５の爪部３６と引っ掛け部３３との係合は解除される。これにより、フォーカスレンズ枠１２のロックは解除される。ロックレバー３５における長穴３８に嵌め込まれた部分の上面には、長溝３７が形成されている。
【００８７】
ボイスコイルモータ３１Ａ、３１Ｂは、例えば、本体３ａの側面に配置されている。ボイスコイルモータ３１Ａ、３１Ｂは、フォーカスレンズ枠１２を駆動させるアクチュエータとして機能する。例えば、ボイスコイルモータ３１Ａ、３１Ｂは、被写体の像のピントが合うようにフォーカスレンズ枠１２をＺ軸方向に駆動させる。ボイスコイルモータ３１Ａ、３１Ｂは駆動時の清音化と高速化とを両立させている。ただし、ボイスコイルモータ３１Ａ、３１Ｂの欠点は、非通電時にフォーカスレンズ枠１２を保持することができないことである。高性能大口径レンズを使用する際は、非通電時にフォーカスレンズ枠１２の衝突破壊や衝突異音を防止する必要がある。このため、ロックレバー３５を設け、フォーカスレンズ枠１２をロックする構造としている。なお、ボイスコイルモータ３１Ａ、３１Ｂに代えて、他の駆動手段、例えば、超音波モータを用いてもよい。
【００８８】
次に、ロックリング２５が防振補正レンズ枠１１をロックし、ロックレバー３５がフォーカスレンズ枠１２をロックするプロセスについて説明する。本実施形態では、これらの駆動を、防振補正レンズユニット２に設けられたモータ２９が行う。
【００８９】
初期状態は、実施形態１及び実施形態２と同様に、ロックリング２５は防振補正レンズ枠１１をロックせず、ロックレバー３５はフォーカスレンズ枠１２をロックしていない。防振補正レンズユニット２のロックリング２５に形成されたロックピン２７は、フォーカスレンズユニット３のロックレバー３５に形成された長溝３７に挿入されている。ロックピン２７と長溝３７とは、ロックリング２５とロックレバー３５とを連結する連結部として機能している。
【００９０】
この初期状態から、制御部がロック制御を行うことにより、モータ２９が駆動し、ロックリング２５を方向Ｄ（図８参照）に沿って回転させる。ロックリング２５が方向Ｄに沿って回転することで、突起２２はテーパ部２６に沿って周面Ｃ側に移動する。これにより、ロックリング２５は、防振補正レンズ枠１２をロックする。このように、ロックリング２５は、防振補正レンズ枠１１と係合する方向に移動することにより、防振補正レンズ枠１１の移動を規制する。このとき、ロックリング２５のロックピン２７が方向Ｆに沿って回転することで（図１０、図１１参照）、ロックリング２５に連結されたロックレバー３５は、方向Ｅに沿って移動する。つまり、ロックレバー３５の爪部３６は、引っ掛け部３３と係合する方向に動く。以上の制御により、ロックリング２５は防振補正レンズ枠１１をロックし、ロックレバー３５はフォーカスレンズ枠１２をロックする。
【００９１】
以上に示した通り、レンズ鏡筒１３では、ロックリング２５とロックレバー３５とは、ロックピン２７と長溝３７（連結部）で連結されている。そのため、モータ２９が、ロックリング２５を回転移動させた場合、ロックレバー３５は、ロックピン２７と長溝３７とを介してロックリング２５と連動する。従って、モータ２９が、ロックリング２５を防振補正レンズ枠１１と係合する方向に移動させることで、ロックレバー３５をフォーカスレンズ枠１２と係合する方向に移動させることが可能となる。このようにして、１つのモータ２９で防振補正レンズユニット２とフォーカスレンズユニット３とをロックすることができる。したがって、ロックに必要なアクチュエータは１つで良く、アクチュエータにかかるコストを低くすることができる。これにより、レンズ鏡筒１３やカメラの製造コストを低くすることができる。また、ロック制御に必要なアクチュエータは１つで良いため、ロックのためのアクチュエータの制御も容易となる。これ以外の効果は、実施形態１及び実施形態２と同様であるので説明を省略する。
【００９２】
［実施形態４］
以下、図面を参照して本発明の実施の形態４について説明する。本実施形態において、レンズ鏡筒１４は、絞りユニット４を備えている。本実施形態は、絞りユニット４の遮光羽根を駆動するためのモータ４９を動力源として、フォーカスレンズユニット３をロックする構造を示す。
【００９３】
図２９は、実施の形態４に係るレンズ鏡筒１４を例示する断面図である。図２９に示すように、レンズ鏡筒１４は、絞りユニット４を備えている。絞りユニット４は、フォーカスレンズユニット３の−Ｚ軸側に配置されている。
【００９４】
図３０〜図３１は、実施の形態４に係る絞りユニットを例示する斜視図である。図３２及び図３４は、実施の形態４に係る絞りユニット４の差込穴６３を例示する図である。図３３及び図３５は、図３２及び図３４が示す内部を例示した透視図である。図３０〜図３５に示すように、絞りユニット４は、本体４ａ、遮光羽根（遮光部材）７０、羽根駆動板（駆動力伝達部材）６５、モータ（アクチュエータ）４９を有している。
【００９５】
本体４ａは、円環の形状をしており、中心に、光軸を中心とした開口７１が形成されている。本体４ａは、円環状のカバー６１及びカバー６２を、外周で結合させた構造をしている。＋Ｚ軸側のカバー６２、すなわち、フォーカスレンズユニット３に対向するカバー６２の外周近傍には、差込穴６３が形成されている。
【００９６】
羽根駆動板６５は、開口７１を取り囲む円環の板状をしている。羽根駆動板６５は、カバー６１とカバー６２との間の隙間に、はめ込まれている。羽根駆動板６５の一部には、切欠部６５ａが形成されている。切欠部６５ａは、カバー６２の差込穴６３を通して見ることができる位置に配置されている。羽根駆動板６５の周縁の一部には、ギア６５ｂが形成されている。これにより、モータ４９に接続された歯車６９を介してモータ４９の駆動力は羽根駆動板６５に伝達される。よって、羽根駆動板６５は、光軸を中心にして回転する。羽根駆動板６５には、円弧状のカム溝６６が複数個、形成されている。各カム溝６６は、絞り部分６６ａと延長部分６６ｂとを有している。カム溝６６は、円弧状に延びているが、位置によって、光軸からの距離が異なっている。絞り部分６６ａは、円弧に沿って光軸からの距離が少しずつ長くなっている部分である。延長部分６６ｂは、円弧に沿って光軸からの距離が長いまま一定の部分である。カム溝６６において、絞り部分６６ａと延長部分６６ｂとは、なめらかに接続している。
【００９７】
遮光羽根７０は、複数本、開口７１を囲むように、開口７１の周縁に設けられている。各遮光羽根７０は、各カム溝６６に嵌め込まれた軸６８と連結している。軸６８は、カム溝６６に可動状態で嵌め込まれている。したがって、羽根駆動板６５が回転することにより、軸６８がカム溝６６に沿って移動する。軸６８がカム溝６６を移動することより、遮光羽根７０が開口７１に押し出されたり、開口７１の周縁に引き戻されたりする。よって、開口７１は遮光羽根７０により開閉する。
【００９８】
例えば、図３３に示すように、羽根駆動板６５が方向Ｈに回転することにより、軸６８は、カム溝６６における絞り部分６６ａを延長部分６６ｂの方へ移動する。これにより、遮光羽根７０は、開口７１に押し出される。よって、開口７１が閉じられる。羽根駆動板６５が方向Ｈと逆方向に回転すると、軸６８は、カム溝６６において絞り部分６６ａを延長部分６６ｂと逆の方へ移動する。これにより、遮光羽根７０は開口７１の周縁に引き寄せられる。よって開口７１が開く。なお、羽根駆動板６５の回転方向と開口７１の開閉の動作は一例であり、これに限られない。
【００９９】
本実施形態では、絞りユニット４の羽根駆動板６５を駆動するために、モータ４９が設けられている。モータ４９は、例えば、ステッピングモータである。モータ４９は、絞りユニット４のカバー６１側に配置されている。モータ４９は、歯車６９を介して、羽根駆動板６５を回転させる。これにより、カム溝６６にはめ込まれた軸６８を移動させる。よって、遮光羽根７０を開閉することができる。このように、羽根駆動板６５は、遮光羽根７０にモータ４９の駆動力を伝達する。
【０１００】
カム溝６６における延長部分６６ｂにおいては、軸６８の光軸からの距離は一定となっている。よって、軸６８には、遮光羽根７０を開閉する駆動力が作用しない。このとき、差込穴６３からは、羽根駆動板６５における切欠部６５ａが覗いている。本実施形態では、切欠部６５ａを用いて、羽根駆動板６５の動きに、フォーカスレンズユニット３におけるロックレバー３５の動きを連動させている。
【０１０１】
図３６〜図３８は、実施の形態４に係るフォーカスレンズユニット３を例示する斜視図である。図３９は、実施の形態４に係るフォーカスレンズユニット３を例示する断面図である。図３６〜図３９に示すように、本実施形態のフォーカスレンズユニット３において、ロックレバー３５は本体３ａの側面に形成された溝の中に設けられている。そして、ロックレバー３５は、Ｚ軸方向に延びた形状となっている。ロックレバー３５における−Ｚ軸方向の端には突出部３５ｃが設けられている。一方、ロックレバー３５における＋Ｚ軸方向の端には、爪部３６が設けられている。爪部３６は、フォーカスレンズ枠１２における引っ掛け部３３と対向している。ロックレバー３５は、本体３ａの側面に沿って光軸を回転軸とした回転方向に回転移動する。
【０１０２】
一方、本体３ａにおける−Ｚ軸側の面４１には、孔４２が形成されている。そして、ロックレバー３５の突出部３５ｃは、孔４２から−Ｚ軸方向に突き出ている。突出部３５ｃも爪部３６も、ロックレバー３５の一部であるので、突出部３５ｃの移動に伴って、ロックレバー３５における爪部３６も移動する。なお、本実施形態では、ブリッジ３４ａ、長溝３７は、形成されていない。
【０１０３】
フォーカスレンズユニット３におけるその他の構成、すなわち、フォーカスレンズ枠１２、フォーカスレンズ群Ｌ２０（図示せず）、ボイスコイルモータ３１Ａ、３１Ｂの構成は、実施の形態３と同様である。本実施形態でも、前述の実施形態３と同様に、モータ３９が設けられていない。
【０１０４】
次に、絞りユニット４の遮光羽根７０を開閉するためのモータ４９を１個だけ用いて、フォーカスレンズユニット３をロックするプロセスについて説明する。
【０１０５】
図４０は、実施の形態４に係る絞りユニット４及びフォーカスレンズユニット３の動作を例示する図である。図４０に示すように、フォーカスレンズユニット３におけるロックレバー３５の突出部３５ｃを、絞りユニット４における差込穴６３を通して、羽根駆動板６５の切欠部６５ａに連結させる。このようにして、羽根駆動板６５とロックレバー３５とを連結する。
【０１０６】
ボイスコイルモータ３１Ａ、３１Ｂの電源をオフするように制御された場合、モータ４９を駆動させて、羽根駆動板６５を回転させる。カム溝６６における絞り部分６６ａを軸６８が延長部分６６ｂの方へ移動する。これに伴って、遮光羽根７０が開口７１に押し出され、開口７１が閉じる。さらに、カム溝６６における延長部分６６ｂを軸６８が移動する。このときは、羽根駆動板６５が回転しても、遮光羽根７０には、駆動力が伝達されない。このように、羽根駆動板６５の回転移動は、駆動力を遮光羽根７０に伝達する駆動力伝達状態と、駆動力が遮光羽根７０に伝達されない駆動力非伝達状態を有する。駆動力非伝達状態における切欠部６５ａの回転移動は、切欠部６５ａに連結した突出部３５ｃの回転移動を伴う。これにより、モータ４９の駆動力は突出部３５ｃを介してロックレバー３５に伝達される。よって、ロックレバー３５の爪部３６は、引っ掛け部３３と係合する。このように、駆動力非伝達状態の移動時に、ロックレバー３５は、フォーカスレンズ枠１２の移動を規制する。
【０１０７】
本実施形態によれば、絞りユニット４の遮光羽根７０を駆動させるためのモータ４９を１個用いるだけで、フォーカスレンズユニット３をロックすることができる。よって、レンズ鏡筒１４のサイズを大型化することなく、コストアップを抑えたまま、フォーカスレンズユニット３の駆動時の清音化と高速化の両立を図ることができる。それ以外の効果は、前述の実施形態１〜３と同様である。
【０１０８】
［実施形態５］
次に、実施の形態５を説明する。本実施形態は、絞りユニット４の遮光羽根７０を駆動させるためのモータ４９を１個用いるだけで、フォーカスレンズユニット３に加えて、防振補正レンズユニット２もロックする構成を示す。
【０１０９】
図４１は、実施の形態５に係るレンズ鏡筒１５を例示する断面図である。図４１に示すように、レンズ鏡筒１５は、絞りユニット４、フォーカスレンズユニット３及び防振補正レンズユニット２を備えている。絞りユニット４は、フォーカスレンズユニット３の−Ｚ軸側に配置されている。防振補正レンズユニット２は、フォーカスレンズユニット３の＋Ｚ軸側に配置されている。
【０１１０】
図４２は、実施の形態５に係るフォーカスレンズユニット３を例示する斜視図である。図４２に示すように、フォーカスレンズユニット３には、ロックレバー３５が設けられている。ロックレバー３５は、本体３ａの側面に形成された溝の中に設けられ、Ｚ軸方向に延びている。ロックレバー３５の−Ｚ軸側の先端には突出部３５ｃが設けられている。また、＋Ｚ軸側には、爪部３６（図示せず）が設けられている。本実施形態において、ロックレバー３５における＋Ｚ軸側の端面には、ロック穴３５ａが設けられている。フォーカスレンズユニット３におけるそれ以外の構成は、実施の形態４と同様であるので説明を省略する。また、絞りユニット４の構成も実施の形態４と同様である。防振補正レンズユニット２の構成は、実施の形態３と同様である。
【０１１１】
次に、絞りユニット４の遮光羽根７０を開閉するためのモータ４９を１個だけ用いて、フォーカスレンズユニット３及び防振補正レンズユニット２をロックするプロセスについて説明する。
【０１１２】
図４３は、実施の形態５に係る絞りユニット４、フォーカスレンズユニット３及び防振補正レンズユニット２の動作を例示する図である。図４３に示すように、フォーカスレンズユニット３のロックレバー３５に設けられた突出部３５ｃを、絞りユニット４の羽根駆動板６５における切欠部６５ａに差込穴６３を通して連結させる。また、防振補正レンズユニット２のロックリング２５に設けられたロックピン２７を、フォーカスレンズユニット３のロックレバー３５におけるロック穴３５ａに連結させる。このようにして、羽根駆動板６５とロックレバー３５、及び、ロックレバー３５とロックリング２５とを連結する。
【０１１３】
ボイスコイルモータ３１Ａ、３１Ｂ及びボイスコイルモータ２１Ａ、２１Ｂ（図示せず）の電源をオフするように制御された場合、モータ４９を駆動させて、羽根駆動板６５を回転させる。これにより、遮光羽根７０が開口７１に押し出され、開口７１が閉じる。さらに、切欠部６５ａの回転移動に伴って、切欠部６５ａに連結した突出部３５ｃは移動する。これにより、ロックレバー３５も本体３ａの側面に沿って回転移動し、ロックレバー３５の爪部３５は、引っ掛け部３３と係合する。よって、フォーカスレンズ枠１２の移動が規制される。このようにして、フォーカスレンズユニット３がロックされる。一方、ロックレバー３５の移動に伴って、ロックレバー３５のロック穴３５ａに連結されたロックピン２７も回転移動する。これにより、ロックリング２５も移動して、ロックリング２５の周面Ｃが防振補正レンズ枠１１における突起２２の動きを規制する。よって、防振補正レンズユニット２もロックされる。
【０１１４】
このように、本実施形態は、絞りユニット４の遮光羽根７０を駆動させるためのモータ４９を１個用いるだけで、フォーカスレンズユニット３に加えて、防振補正レンズユニット２をロックすることができる。よって、レンズ鏡筒１５のサイズを大型化することなく、コストアップを抑えたまま、フォーカスレンズユニット３の駆動時の清音化と高速化の両立を図ることができるとともに、防振補正レンズユニット２の駆動時の応答性を向上することができる。それ以外の効果は、前述の実施形態１〜４と同様である。
【０１１５】
以上に記載した実施の形態１〜５は、適宜組み合わせることができる。また、本発明は上記実施の形態に限られたものではなく、趣旨を逸脱しない範囲で適宜変更することが可能である。例えば、突出部３５ｃは、ロックレバー３５ではなく、羽根駆動板６５に設けられ、切欠部６５ａは、羽根駆動板６５ではなく、ロックレバー３５に設けられてもよい。また、ロックピン２７は、ロックリング２５ではなくロックレバー３５に設けられ、ロック穴３５ａは、ロックレバー３５ではなくロックリング２５に設けられてもよい。
【符号の説明】
【０１１６】
１  レンズ鏡筒
２  防振補正レンズユニット
２ａ  本体
２ｂ  開口
２ｃ  上蓋
２ｄ  下蓋
３  フォーカスレンズユニット
３ａ  本体
４  絞りユニット
４ａ  本体
１１  防振補正レンズ枠
１１ａ  円筒部分
１１ｂ  ツバ部分
１２  フォーカスレンズ枠
１３、１４、１５  レンズ鏡筒
２１Ａ、２１Ｂ  ボイスコイルモータ（Voice Coil Motor, VCM）
２２  突起
２２Ａ、２２Ｂ、２２Ｃ  突起
２３  面
２４  可動領域
２５  ロックリング
２６  テーパ部
２７  ロックピン
２９  モータ（アクチュエータ）
３１Ａ、３１Ｂ  ボイスコイルモータ（Voice Coil Motor, VCM）
３２  ガイド軸
３３  引っ掛け部
３４  面
３４ａ  ブリッジ
３５  ロックレバー
３５ａ  ロック穴
３５ｃ  突出部
３６  爪部
３７  長溝
３８  長穴
３９  モータ（アクチュエータ）
４０  ガイド軸
４１  面
４２  孔
４９  モータ
５０  防振補正レンズユニット
５１  ストッパー
５２  ガイド軸
５３  ガイド穴
５４Ａ、５４Ｂ  嵌合穴
５５Ａ、５５Ｂ  フォロアピン
５６Ａ、５６Ｂ  ガイド部
５７  カム溝
５７Ａ、５７Ｂ  カム溝
６１  カバー
６２  カバー
６３  差込穴
６５  羽根駆動板
６５ａ  切欠部
６５ｂ  ギア
６６  カム溝
６６ａ  絞り部分
６６ｂ  延長部分
６８  軸
６９  歯車
７０  斜光羽根
７１  開口
Ｃ  周面
Ｄ、Ｅ、Ｆ、Ｇ、Ｈ  方向
Ｉ１、Ｉ２、Ｉ３、Ｉ４、Ｉ６、Ｉ７、Ｉ８  位置
Ｌ１、Ｌ２、Ｌ３  防振補正レンズ
Ｌ４、Ｌ５  フォーカスレンズ
Ｌ１０  防振補正レンズ群
Ｌ２０  フォーカスレンズ群
【図１】
0006617007.tif 000002
【図２】
0006617007.tif 000003
【図３】
0006617007.tif 000004
【図４】
0006617007.tif 000005
【図５】
0006617007.tif 000006
【図６】
0006617007.tif 000007
【図７】
0006617007.tif 000008
【図８】
0006617007.tif 000009
【図９】
0006617007.tif 000010
【図１０】
0006617007.tif 000011
【図１１】
0006617007.tif 000012
【図１２】
0006617007.tif 000013
【図１３】
0006617007.tif 000014
【図１４】
0006617007.tif 000015
【図１５】
0006617007.tif 000016
【図１６】
0006617007.tif 000017
【図１７】
0006617007.tif 000018
【図１８】
0006617007.tif 000019
【図１９】
0006617007.tif 000020
【図２０】
0006617007.tif 000021
【図２１】
0006617007.tif 000022
【図２２】
0006617007.tif 000023
【図２３】
0006617007.tif 000024
【図２４】
0006617007.tif 000025
【図２５】
0006617007.tif 000026
【図２６】
0006617007.tif 000027
【図２７】
0006617007.tif 000028
【図２８】
0006617007.tif 000029
【図２９】
0006617007.tif 000030
【図３０】
0006617007.tif 000031
【図３１】
0006617007.tif 000032
【図３２】
0006617007.tif 000033
【図３３】
0006617007.tif 000034
【図３４】
0006617007.tif 000035
【図３５】
0006617007.tif 000036
【図３６】
0006617007.tif 000037
【図３７】
0006617007.tif 000038
【図３８】
0006617007.tif 000039
【図３９】
0006617007.tif 000040
【図４０】
0006617007.tif 000041
【図４１】
0006617007.tif 000042
【図４２】
0006617007.tif 000043
【図４３】
0006617007.tif 000044